(57)【要約】【課題】ユーザフレンドリーな入力手段を備える住宅環境評価シミュレーションシステムを提供すること。【解決手段】環境評価シミュレーションシステムにおいて、ディスプレイに表示されるデータ入力用画面のうち、建物の間取りの入力に用いられる間取りデータ入力用画面は、平面視状態の間取り図の入力が可能な間取り入力用フィールドを有しており、当該間取り入力用フィールドは、多数の区画に仕切られていると共に、当該各区画は、前記入力機器によって移動される前記ディスプレイに表示されたポインタによって選択可能である。ポインタで区画を選択していくことによって、簡単に、室の位置、広さあるいは形状を特定できる。【選択図】図３Ａ
2008059397.tif 000002
【特許請求の範囲】
【請求項１】
建物の環境評価をするためのシミュレーションを実行するシミュレーション手段と、前記シミュレーションのためのデータの入力操作に用いられる入力機器と、データ入力用画面が表示されるディスプレイと、当該ディスプレイに前記データ入力用画面を表示させる画面表示処理を実行する入力データ処理手段とを備える環境評価シミュレーションシステムであって、
前記画面表示処理によって前記ディスプレイに表示されるデータ入力用画面のうち、建物の間取りの入力に用いられる間取りデータ入力用画面は、平面視状態の間取り図の入力が可能な間取り入力用フィールドを有しており、
当該間取り入力用フィールドは、多数の区画に仕切られていると共に、当該各区画は、前記入力機器によって移動される前記ディスプレイに表示されたポインタによって選択可能であり、
前記入力データ処理手段は、前記ポインタによって選択された、隣接する１つ以上の区画からなる領域の位置および広さに基づいて、間取り図中の室の位置および広さを特定する室データ入力処理を実行するものである環境評価シミュレーションシステム。
【請求項２】
隣接する前記区画の間には、仕切り部が表示されており、当該仕切り部のうち、前記室に対応する領域の外周縁上に位置する仕切り部は、前記ポインタによって選択可能であり、
前記入力データ処理手段は、前記ポインタによって選択された仕切り部の位置に対応する部分の建物構造を特定する仕切り部構造入力処理を実行するものである請求項１に記載の環境評価シミュレーションシステム。
【請求項３】
前記データ入力用画面には、所定の仕切り部構造の入力を可能にするための入力モード切替ボタンが前記ポインタによって選択可能な状態で表示されており、
前記入力データ処理手段は、前記入力モード切替ボタンに対応する入力モードが選択された状態で前記ポインタによっていずれかの仕切り部が選択されると、当該選択された仕切り部の位置に対応する部分が前記所定の仕切り部構造であるとの仕切り部構造入力処理を実行する請求項２に記載の環境評価シミュレーションシステム。
【発明の詳細な説明】
【技術分野】
【０００１】
本発明は、戸建て住宅などの建物の環境評価を行うためのシミュレーションシステムに関する。
【背景技術】
【０００２】
住宅の環境評価とは、たとえば、住宅のエネルギー消費量や二酸化炭素排出量などを、住宅単体あるいはその集合である都市を対象として把握することである。住宅や都市の省エネルギー化や周辺環境への適合を図るためには、このような事項を把握することが重要である。そして、このような事項を把握する手段として、数値計算を用いた住宅環境評価シミュレーションがある（非特許文献１参照）。
【０００３】
当該シミュレーションは、住宅の間取りや寸法（サイズ）などのデータに基づいて行われる。したがって、シミュレーションを行って環境評価を行うためには、これら必要なデータをシミュレーション手段であるコンピュータに入力する必要がある。
【非特許文献１】日本建築学会九州支部研究報告 第41号 2002年3月 第433 頁〜第436頁
【発明の開示】
【発明が解決しようとする課題】
【０００４】
ところで、住宅環境評価シミュレーションは、現在、専ら住宅環境に関わる専門家によって行われている。このようなことから、シミュレーション用データの入力手段は、専門家には使用できても、専門家以外の者には使用することが難しいものである。このような入力装置が用いられている現状では、専門家でない住宅居住者や購入者がデータを入力して住宅環境シミュレーションを行うということが困難である。
【０００５】
本発明は、このような問題点に鑑みてなされたものであり、よりユーザフレンドリーな入力手段を備える住宅環境評価シミュレーションシステムを提供することを課題とする。
【課題を解決するための手段】
【０００６】
本発明は、建物の環境評価をするためのシミュレーションを実行するシミュレーション手段と、前記シミュレーションのためのデータの入力操作に用いられる入力機器と、データ入力用画面が表示されるディスプレイと、当該ディスプレイに前記データ入力用画面を表示させる画面表示処理を実行する入力データ処理手段とを備える環境評価シミュレーションシステムであって、前記画面表示処理によって前記ディスプレイに表示されるデータ入力用画面のうち、建物の間取りの入力に用いられる間取りデータ入力用画面は、平面視状態の間取り図の入力が可能な間取り入力用フィールドを有しており、当該間取り入力用フィールドは、多数の区画に仕切られていると共に、当該各区画は、前記入力機器によって移動される前記ディスプレイに表示されたポインタによって選択可能であり、前記入力データ処理手段は、前記ポインタによって選択された、隣接する１つ以上の区画からなる領域の位置および広さに基づいて、間取り図中の室の位置および広さを特定する室データ入力処理を実行するものである環境評価シミュレーションシステムである。
【０００７】
このように、本発明に係る環境評価シミュレーションシステムでは、間取り入力用フィールドの区画をポインタで選択していくことによって建物の室すなわち部屋の位置、広さあるいは形状を平面図として認識しつつ入力できる。室の広さ等を入力する方法としては、たとえば、数値入力があるが、部屋どうしの位置関係や広さの関係などをイメージすることが難しい。また、ＣＡＤのような図面作成システムと同様の方法で室の位置、広さあるいは形状を入力する方法があるが、ＣＡＤの使用方法を知らない者にとっては操作が難しい。この点、本発明によれば、ポインタで区画を選択していくことによって、環境評価シミュレーションの専門家以外の者にも簡単に、室の位置、広さあるいは形状を特定できる。しかも、室の位置等を平面図として認識しつつ入力操作を行なうことができるので、データ入力中に、実際に建築される建物を容易にイメージすることができるという利点がある。
【０００８】
そして、隣接する前記区画の間には、仕切り部が表示されており、当該仕切り部のうち、前記室に対応する領域の外周縁上に位置する仕切り部は、前記ポインタによって選択可能であり、前記入力データ処理手段は、前記ポインタによって選択された仕切り部の位置に対応する部分の建物構造を特定する仕切り部構造入力処理を実行するようにしてもよい。
【０００９】
このようなものであれば、ポインタで仕切り部を選択することによって、シミュレーションの専門家以外の者にも簡単に仕切り部の建物構造を入力することができる。
【００１０】
また、前記データ入力用画面には、所定の仕切り部構造の入力を可能にするための入力モード切替ボタンが前記ポインタによって選択可能な状態で表示されており、前記入力データ処理手段は、前記入力モード切替ボタンに対応する入力モードが選択された状態で前記ポインタによっていずれかの仕切り部が選択されると、当該選択された仕切り部の位置に対応する部分が前記所定の仕切り部構造であるとの仕切り部構造入力処理を実行するようにしてもよい。
【００１１】
このようなものであれば、ポインタで入力モード切替ボタンを選択した後、仕切り部を選択することによって、当該仕切り部の位置に、選択した入力モードに対応する仕切り部構造が存在することを簡単に入力することができる。
【００１２】
前記所定の仕切り部構造としては、たとえば、ドア、窓または断熱構造などを上げることができる。所定の仕切り部構造が、これらのうちのいずれか、たとえばドアであれば、入力モードが選択された状態でポインタによっていずれかの仕切り部を選択することによって、選択された仕切り部の位置に対応する部分がドアであることを簡単に入力することができる。
【発明の効果】
【００１３】
本発明によれば、環境評価シミュレーションの専門家以外の者にも簡単に、室の位置、広さあるいは形状を特定できる。しかも、室の位置等を平面図として認識しつつ入力操作を行なうことができるので、データ入力中に、実際に建築される建物を容易にイメージすることができるという利点がある。
【発明を実施するための最良の形態】
【００１４】
以下、本発明に係る住宅の環境評価シミュレーションシステム（以下、単にシミュレーションシステムと称する）の実施形態について図面を用いて詳細に説明する。
【００１５】
本実施形態に係るシミュレーションシステムは、コンピュータを用いた環境評価シミュレーションシステムであり、住宅の環境評価、すなわちエネルギー消費量や二酸化炭素排出量などを、住宅単体あるいはその集合である都市を対象として把握するものである。
【００１６】
図１に示されるコンピュータシステムは、本実施形態のシミュレーションシステムを実現するものである。図示されるように、このコンピュータシステム１０は、ＣＰＵが搭載されたコンピュータ本体１１と、住宅の条件等のデータの入力機器であるキーボード１２およびマウス１３と、データや図形等の情報が表示される表示手段であるディスプレイ１４と、データや図形等の情報が表示された紙を出力するプリンタ１５とを備えている。なお、符号「１６」は、ＣＤ−ＲＯＭやＤＶＤなどの記憶媒体の内容を読取るためのコンピュータ本体１１に搭載された読み取りドライブを示している。
【００１７】
コンピュータ本体１１は、概略的には、中央演算装置であるＣＰＵ、ＲＯＭおよびＲＡＭなどのメモリ、キーボード１２やマウス１３用のインターフェース、ディスプレイ１４、プリンタ１５、コンピュータ本体１１に搭載された読み取りドライブ１６あるいはハードディスクドライブなどのコンピュータ本体１１に接続される周辺機器のコントローラ等を備えており、これらはバスを介して相互に接続されている。なお、このようなハードウエアの構成は周知のものであるので、ここではその詳細な説明を省略する。
【００１８】
コンピュータ本体１１に搭載された図示しないハードディスクドライブには、シミュレーションを行うためのシミュレーションプログラムがインストールされており、当該プログラムを実行することで、シミュレーションを行うことができるようになっている。つまり、コンピュータ本体１１は、シミュレーション手段として機能する。そして、シミュレーションを実行することで、住宅の環境評価、具体的には、住宅のエネルギー消費量や二酸化炭素排出量などの評価を行なうことができる。
【００１９】
図２（ａ）に示されるように、シミュレーションプログラム２０は、概略的には、マウス１３等の入力機器から入力されたデータを処理する入力プログラム部（以下、入力部）２１を有する。入力部２１は、たとえば、入力インターフェース（すなわち入力されたデータを処理する入力データ処理手段）２１ａとして機能するプログラム部を有する。また、入力部２１は、たとえば、マウス１３等の入力機器から入力された住宅の平面データ、立面データ、室用途、家族構成等のデータを、後述するソルバープログラム部での計算に用いることができるデータに数値化する前処理を実行するプログラム部や、入力条件判定をするプログラム部を有する。なお、前処理において行う具体的な数値計算については、ここではその説明を省略する。また、これらの処理を行うときに、入力データ処理手段２１ａは、後述する建物居住者のスケジュールを設定するためのプログラム部を有しており、居住者について入力、設定されたスケジュールデータを考慮した処理を行うこともできるものである。
【００２０】
また、シミュレーションプログラム２０は、入力されたデータに基づいて、環境評価に必要な数値（たとえば資材量など）を計算するソルバープログラム部（以下、ソルバー）２２と、ソルバー２２によって算出された数値に基づいて、環境評価に用いられる住宅でのエネルギー消費量等を算出する出力プログラム部（以下、出力部）２３と、算出された数値等のデータをディスプレイやプリンタなどの表示手段に出力できるように処理する結果表示プログラム部（不図示）とを有する。なお、ソルバー２２は、入力された条件データ、入力部２１における前処理により算出されたデータ、予め入力された住宅設備であるエネルギー機器に関するデータ等に基づいてシミュレーションを実行し、環境性能評価に必要な資材量等の数値を計算するものである。ソルバー２２としては、たとえばTriple Pと称されるものがある。
【００２１】
このようなシミュレーションシステム、特に当該システムのデータ入力に関する構成について図面を参照しつつ説明する。
【００２２】
シミュレーションシステムを使用する場合は、まず、コンピュータ１０を起動させて、シミュレーションプログラム２０を起動させる。そして、シミュレーションに用いるデータを入力する場合は、データ入力用ウィンドウ（画面）３０を表示させる（図３Ａ）参照）。
【００２３】
図３Ａは、シミュレーションプログラム２０の起動後、ディスプレイ１４の画面に表示されるデータ入力モードを選択するためのボタン（不図示）をクリックしたときに現れるデータ入力用ウィンドウ３０を示している。
【００２４】
図３Ａに示されるように、このデータ入力用ウィンドウ３０は、左上に表示された第１入力部４０と、左下に表示された第２入力部５０と、これらの右側に表示されたマス目状のフィールド部分を有する第３入力部６０とを備えている。なお、第１入力部４０の上方に表示された「データＲＥＡＤ」ボタン３１は、メモリ等に記憶されたデータを入力するためのボタンであり、「データＳＡＶＥ」ボタン３２は、入力されたデータをメモリ等に記憶させるためのボタンである。
【００２５】
第１入力部４０は、室（部屋）の間取り等の室条件を入力するための室設定画面（図４参照）４１と、ドア条件を入力するためのドア設定画面（図５参照）４２と、窓条件を入力するためのウィンドウ設定画面（図６参照）４３と、屋根条件を入力するためのルーフ設定画面（図７参照）４４とを備えている。
【００２６】
図４に示されるように、室設定画面４１は、室用途を入力する欄と、床仕上を入力する欄と、冷暖房に関するデータを入力する欄と、室番号を入力する欄とを備えている。
【００２７】
なお、室設定画面４１は、第１入力部４０の上部に表示されている「Ｒｏｏｍ」の文字の部分４０ａに画面に表示されたポインタ（図３Ａ参照）を合わせてマウス１３の所定ボタンをクリックすると表示される。
【００２８】
室用途データ、床仕上データおよび冷暖房に関するデータの入力方法は、選択リスト形式である。たとえば、室用途データを入力する場合は、ポインタ３３を、マウス操作によって移動させて、室用途を入力する欄の右側の表示された「下向き黒三角印」の位置に合わせ、その状態でマウス１３の所定ボタンをクリックする操作を行う。すると、入力可能な項目のリストが表示されるので、このリストから適当な項目をポインタで選択する。すると、選択した項目が入力欄に入力される。
【００２９】
床仕上データおよび冷暖房に関するデータも、室用途データの入力方法と同様の方法で入力するようになっている。同様の方法であるので、ここではその説明を省略する。なお、図４は、室用途データとして「主居間」が選択され、床仕上データとして「フローリング」が選択され、冷暖房に関するデータとして「行う」が選択された状態を示している。
【００３０】
室番号の入力方法も、一種の選択リスト形式ということができる。図４に示されるように、室設定画面４１は、その下側領域に、室番号（Ｒｏｏｍ  Ｎｕｍｂｅｒ）を入力するための室番号入力部４１ａを備えている。室番号入力部４１ａは、マス目状に配置された番号ボタン（図４では、１〜２５）を備えている。各番号ボタンは、ボタン入力可能になっている。つまり、マウス操作によってポインタ３３を移動させて、ポインタ３３の位置を所望の室番号が表示された番号ボタンの位置に合わせ、その状態でマウス１３の所定ボタンをクリックする。すると、室番号が選択される。選択操作が行われると、選択された番号が表示されたボタンの色が変化するようになっており、選択された室番号を簡単に認識できるようになっている。選択された番号ボタンを簡単に認識できるようにする方法としては、図４に示されるように、選択された番号ボタンの周縁部の内側に破線を表示させるようにしてもよい。なお、図４に示される室番号入力部４１ａは、室番号として、「１番」が選択された状態を示している。
【００３１】
室番号を選択して、入力すると、図３Ａに示される第３入力部６０を用いて間取りデータを入力できる状態になる。
【００３２】
間取りデータの入力では、まず、対応する室番号の室を設けるフロア（階数）を選択する。図３Ａは、一階に対応する１Ｆボタン３４が選択された状態を示している。なお、１Ｆボタン３４が選択されていることは、ボタンの色の変化により簡単に認識することができるようになっている。また、本実施形態で扱われている建物は２階建てであり（図８参照）、３Ｆボタンは選択できないようになっている。
【００３３】
フロアを選択して、入力すると、次に間取りを入力する。間取りの入力に用いられる第３入力部６０は、間取り入力用フィールド６１を有する。間取り入力用フィールド６１は、四角形状の室ボタン６２がマス目状に整列配置されたフィールドであり、ポインタ３３によって室ボタン６２を選択することにより、室の位置、広さおよび形状を入力することができるようになっている。
【００３４】
マウス操作によってポインタ３３をいずれかの室ボタン６２の位置に移動させ、当該室ボタン６２を選択すると、選択された室ボタン６２の部分が対応する室番号の室の一部になる。また、室ボタン６２を選択すると、選択された室ボタン６２内に、対応する室番号が表示される。したがって、室ボタン６２内の番号を視認することで、所定の室番号の室内領域を構成する室ボタン６２を、視覚的に簡単に認識することができる。また、室ボタン６２内の番号を視認することで、対応する室番号の部屋の広さや形状などを簡単に認識することができる。
【００３５】
なお、室番号が表示された状態の室ボタン６２を選択すると、室の一部であるとの設定が解除される。そして、設定が解除されると、室ボタン６２内に表示されていた番号の表示が消え、番号が表示されない状態になる。
【００３６】
また、間取り入力用のフィールド６１中のマス目状に配列された正方形の室ボタン６２の広さは、半畳の広さに対応している。図３Ａは、第３入力部６０に、部屋番号１から部屋番号３までの３部屋が入力された状態を示している。そして、部屋番号１の部屋は、番号「１」が表示された隣接する２０個の室ボタン６２からなる領域であり、長方形の１０畳の部屋である。そして、部屋番号２の部屋は、番号「２」が表示された隣接する２０個の室ボタン６２からなる領域であり、長方形の１０畳の部屋である。また、部屋番号３の部屋は、番号「３」が表示された隣接する１６個の室ボタン６２からなる領域であり、正方形の８畳の部屋である。
【００３７】
このように、本実施形態によれば、シミュレーションで用いられる室データであるところの間取りデータ、より具体的には、室の位置、広さおよび形状に関するデータを、マウス操作によって室ボタン６２を選択することにより簡単に入力することができ、修正することができる。間取り図も図形の一種であるので、間取り入力方法として、製図等で用いられるＣＡＤシステムと同様の入力方法を用いることも考えられるが、ＣＡＤシステムと同様の入力方法を用いたのでは、当該入力方法を知らない者には入力操作が難しい。この点、本実施形態のような簡単なマウス操作により入力できれば、ＣＡＤシステムの使用方法を知らない者であっても、簡単にデータ入力を行うことができる。
【００３８】
また、室データ入力方法として、平面視状態の間取り図の入力が可能な間取り入力用フィールドを用いる入力方法を用いるので、入力する室の位置、広さあるいは形状等のデータを入力しているときに、間取りを簡単にイメージすることができる。たとえば、室データとして数値のみを入力する入力方法があるが、住宅の環境評価に関するシミュレーションシステムの専門家以外の者にとっては、入力している間取りの状態をイメージしにくい。この点、本実施形態のように、平面視状態の間取り図の入力が可能な間取り入力用フィールドを用いる方法であれば、専門家以外の者であっても、簡単に室の位置、広さあるいは形状等をイメージすることができ、実際の住宅をイメージしつつ、より的確な入力作業を行なうことができる。
【００３９】
さらに、図１１に示されるような複雑な形状の室形状を、簡単な操作で入力することができるという利点がある。より、具体的に説明すると、図１１（ａ）において網掛け領域として示される方形（正方形、長方形）の室、図１１（ｃ）において網掛け領域として示されるＬ字型の室、図１１（ｅ）において網掛け領域として示される階段型の室、そして、図１１（ｇ）において網掛け領域として示される回廊型の室を簡単な操作で入力することができる。これらの図は、入力時の状態を示すものであり、図示されるように、室ボタン６２中に示される室番号は全て「１」であり、入力者は、これらの室を一つの室として認識しつつ入力することができる。
【００４０】
入力部２１では、前処理を行うとき、方形の室については図１１（ｂ）に示されるように一つの室として取り扱うが、Ｌ字型の室については、図１１（ｄ）に示されるように二つの室（マル１の領域とマル２の領域）からなる室として取り扱い、階段型の室については、図１１（ｆ）に示されるように、三つの室（マル１の領域とマル２の領域とマル３の領域）からなる室として取り扱い、回廊型については、図１１（ｈ）に示されるように四つの室（マル１の領域とマル２の領域とマル３の領域とマル４の領域）からなる室として取り扱う。つまり、図１１の（ｂ）（ｄ）（ｆ）（ｈ）は、前処理において室形状をどのように判断するかを示すものである。
【００４１】
このように、本実施形態によれば、操作者は、複雑な形状の室についても、簡単な入力操作によってデータを入力することができる。
【００４２】
第３入力部を用いて室の間取りデータを入力すると、次に、第１入力部４０に、ドア設定画面（図５参照）４２を表示させて、建物構造の一種であるドアのデータを入力する。
【００４３】
ドア設定画面４２は、第１入力部４０の上部に表示されている「Ｄｏｏｒ」の文字の部分４０ｂにポインタ３３を合わせてマウス１３の所定ボタンをクリックすると表示される。
【００４４】
図５に示されるように、ドア設定画面４２は、ドアの材質の種類を入力する欄と、ドアの高さを入力する欄を備えている。
【００４５】
種類データおよび高さデータの入力方法は、選択リスト形式である。当該入力方法については、先に説明したとおりであるので、ここではその説明を省略する。なお、図５は、種類データとして「木製」が選択され、高さデータとして「１．０ｍ」が選択された状態を示している。
【００４６】
また、ドア設定画面４２は、その下部に、「入力」と「設定」を択一的に選択できるボタン欄を備えている。そして、ポインタ３３によって「入力」を選択すると、上述したドアの材質の種類と、ドアの高さを入力できる状態になる。他方、「設定」を選択すると、ドアの位置を入力することが可能な入力モードになる。つまり、「設定」は、ドアの位置を入力可能にするための入力モード切替ボタンとして機能する。
【００４７】
図３Ａに示されるように、間取り入力用フィール６１には、マス目状に配列された室ボタン６２が表示されていると共に、室ボタン６２どうしの間に仕切り部６３が表示されている。また、間取り入力用フィール６１の最外周に位置する室ボタン６２の外周側の側縁位置にも仕切り部６３が表示されている。本実施形態では、仕切り部６３は、格子状に配置される白色の帯状部として表示されている。
【００４８】
ドア位置の入力では、まず、ドア設定画面４２において「設定」を選択する。すると、間取り入力用フィール６１に表示された仕切り部６３のうち、室に対応する領域（たとえば番号「１」が表示された複数の室ボタン６２からなる領域）の外周縁上に位置する仕切り部６３がポインタ３３によって選択可能になり、ドアの位置を入力することが可能な入力モードになる。そして、その後、ポインタ３３を用いて所望の仕切り部６３を選択することにより、ドア位置の入力が行われる（仕切り部構造入力）。
【００４９】
ポインタ３３をいずれかの仕切り部６３の位置に移動させてこれを選択すると、図３Ｂに示されるように、選択された仕切り部６３の位置にドアＤが存在しているとの設定がなされる。また、仕切り部６３を選択すると、選択された仕切り部６３の色が変化する。本実施形態では、選択されたドアＤの位置が赤色に変化する。したがって、間取り入力用フィール６１を視認することで、ドアＤが存在する位置を簡単に認識することができる。
【００５０】
なお、図３Ｂに示されているように、本実施形態では、室ボタン６２の各辺に隣接して表示されている仕切り部６３を選択するとき、各仕切り部６３の半分だけを選択できるようになっている。したがって、一間の四分の一の幅寸法のドアＤや窓が存在するとの設定を行うことができる。
【００５１】
また、仕切り部６３を選択する手順や、一旦ドア設定された仕切り部６３について設定を解除する手順など、入力解除操作は、室ボタン６２についての操作と同様であるので、ここではその説明を省略する。
【００５２】
ドアデータを入力すると、次に、第１入力部４０に、窓設定画面４３を表示させて、建物構造の一種である窓のデータを入力する。窓設定画面４３は、第１入力部４０の上部に表示されている「Ｗｉｎｄｏｗ」の文字の部分４０ｃにポインタ３３を合わせてマウス１３の所定ボタンをクリックすると表示される。
【００５３】
図６に示されるように、窓設定画面４３は、窓の種類を入力する欄と、窓の縦寸法を入力する欄と、窓の下端高を入力する欄と、内開き（内側ＯＰ）に関するデータを入力する欄と、外開き（外側ＯＰ）に関するデータを入力する欄と、オープン予定（ＯＰ予定）時間帯を入力する欄とを備えている。これらのデータの入力方法は、選択リスト形式である。図６は、種類データとして「一重普通サッシ」が選択され、縦寸法データとして、「１．０ｍ」が選択され、下端高データとして「０．０ｍ」が選択され、内側ＯＰデータとして「なし」が選択され、外側ＯＰデータとして「なし」が選択され、ＯＰ予定データとして「午前」が選択された状態を示している。
【００５４】
また、窓設定画面４３は、ドア設定画面同様、その下部に、「入力」と「設定」を択一的に選択できるボタン欄を備えている。そして、ポインタ３３によって「入力」を選択すると、上述した窓に関するデータを入力できる状態になる。他方、「設定」を選択すると、第３入力部６０の間取り入力用フィール６１中において、窓の位置を入力することができる状態になる。なお、窓の位置の設定手順は、ドアＤの位置の設定手順と同様であるので、ここではその説明を省略する。
【００５５】
窓データを入力すると、次に、第１入力部４０に、ルーフ設定画面４４を表示させて、ルーフデータを入力する。ルーフ設定画面４４は、第１入力部４０の上部に表示されている「Ｒｏｏｆ」の文字の部分４０ｄにポインタ３３を合わせてマウス１３の所定ボタンをクリックすると表示される。
【００５６】
図７に示されるように、ルーフ設定画面４４は、ルーフの材質を入力する欄と、ルーフの勾配を入力する欄と、ルーフの流方向を入力する欄とを備えている。これらのデータの入力方法は、選択リスト形式である。図７は、材質データとして「カラーベスト」が選択され、勾配データとして「水平」が選択され、流方向データとして「南」が選択された状態を示している。
【００５７】
また、ルーフ設定画面４４は、室設定画面４１と同様、その下部に、ルーフ番号を入力する欄４４ａを備えている。
【００５８】
ルーフ番号の入力方法は、室設定画面４１における室番号の入力方法と同様である。したがって、ここでは、その詳細な説明を省略する。なお、図７は、ルーフ番号が未だ選択されていない状態を示している。
【００５９】
図３Ａに示される第１入力部４０におけるデータ入力を終了すると、第２入力部５０を用いてデータ入力を行う。
【００６０】
第２入力部５０は、建物に関する条件を入力するための建物設定画面（図８参照）５１と、居住者条件を入力するための居住者設定画面（図９参照）５２と、建物に設置されるエネルギー機器の条件を入力するための機器設定画面（図１０参照）５３とを備えている。これらの設定画面によって、建物の所在地や家族構成などを任意に設定し変更することが可能である。また、住宅に設置されるエネルギー機器の追加や条件の見直しなどが可能である。
【００６１】
これらの設定画面５１，５２，５３は、それぞれ、図示されるような項目データを入力する欄を備えている。なお、各項目データの入力方法は、選択リスト形式であるので、ここではその詳細な説明を省略する。
【００６２】
第１入力部４０、第２入力部５０および第３入力部６０に表示された設定画面を用いる入力インターフェース（入力データ処理手段）２１ａによって、間取り等の建物条件や照明、エネルギー機器および居住者についてのデータ（たとえばスケジュールデータなど）等の諸データＣ（図２（ａ）参照）の入力が完了すると、入力部２１は、入力されたデータを基に、ソルバープログラム部で用いられる数値データを算出する処理（前処理）を実行する。なお、前処理において行う具体的な数値計算については、ここではその詳細な説明を省略するが、たとえば、間取りデータについては、間取り入力用フィールド６１に入力された間取りデータを基に前処理を行う。より具体的には、部屋番号１の室の広さについては、間取り入力用フィールド６１に入力された間取りデータを基に、８畳間の広さに対応する数値データを得る。このようにして、前処理を実行すると、シミュレーションで用いられる数値データが揃い、シミュレーションプログラムのソルバー２２によってシミュレーションを行うことができる状態になる。
【００６３】
ソルバー２２では、シミュレーションを行って資材量、給湯・調理エネルギー、機器・照明エネルギー、耐久財・消耗品エネルギー、冷暖房エネルギーを計算する。
【００６４】
なお、これらの数値は、建物本体に関する計算、建物の居住者に関する計算および温熱環境シミュレーションを行うことによって計算される。建物本体に関する計算とは、たとえば、資材製造・施工、補修交換、解体廃棄に関する計算であり、また、建物の居住者に関する計算とは、証明・機器、給湯・調理に関する計算であり、温熱環境シミュレーションは、室温、壁面温度、排気・通風量、冷房負荷、暖房負荷について行われるシミュレーションである。また、ソルバー２２における資材量等の計算では、エネルギー機器、燃料電池システム、ガスコジェネ、太陽光発電あるいは自然冷媒ヒートポンプなどの存在の有無等が考慮される。
【００６５】
ソルバー２２において資材量等が計算されると、シミュレーションプログラムの出力部２３によって、住宅のエネルギー消費量や二酸化炭素排出量などを計算できる。つまり、ＬＣＥ（Life Cycle Energy）、ＬＣＣＯ２（Life CycleＣＯ２）やＬＣＣ（Life Cycle Cost）などを計算できる。各種計算結果については、図示しない出力画面を用いてディスプレイ１４に表示したり、プリンタ１５を用いて紙面に出力したりすることができる。
【００６６】
なお、本実施形態では、たとえば第１入力部４０を用いてデータを入力するとき、室データ、ドアデータ、窓データそしてルーフデータの順番でデータ入力するように説明しているが、データを入力する順番は、この順番に限られず、任意の順番でデータを入力することができる。
【００６７】
また、本発明に係るシミュレーションシステムは、上記実施形態のシミュレーションシステムに限られるものではなく、当該発明の技術的範囲には、発明の趣旨を逸脱しない範囲で種々改変されたシミュレーションシステムが含まれる。
【図面の簡単な説明】
【００６８】
【図１】建物の環境評価シミュレーションシステムを実現するコンピュータシステムの概要構成を示す構成図である。
【図２】（ａ）は、シミュレーションプログラムの概略構成を示す説明図であり、（ｂ）は、プログラムの動作の流れを概略的に示す説明図である。
【図３Ａ】シミュレーションプログラムで表示されるデータ入力用ウィンドウを示すレイアウト図である。
【図３Ｂ】図３Ａに示されるデータ入力用ウィンドウの一部を拡大して示すレイアウト図である。
【図４】データ入力用ウィンドウ中の第１入力部の室設定画面を示すレイアウト図である。
【図５】第１入力部のドア設定画面を示すレイアウト図である。
【図６】第１入力部の窓設定画面を示すレイアウト図である。
【図７】第１入力部のルーフ設定画面を示すレイアウト図である。
【図８】データ入力用ウィンドウ中の第２入力部の建物設定画面を示すレイアウト図である。
【図９】第２入力部の居住者設定画面を示すレイアウト図である。
【図１０】第２入力部の機器設定画面を示すレイアウト図である。
【図１１】間取り図として特定可能な室の形状のパターンを示すレイアウト図である。
【符号の説明】
【００６９】
１０・・・コンピュータシステム
１１・・・コンピュータ本体
１３・・・マウス
１４・・・ディスプレイ
２０・・・シミュレーションプログラム
２１・・・入力プログラム部（入力部）
２１ａ・・・入力インターフェース（入力データ処理手段）
２２・・・ソルバープログラム部（ソルバー）
２３・・・出力プログラム部（出力部）
３０・・・データ入力用ウィンドウ
４０・・・第１入力部
４１・・・室設定画面
４２・・・ドア設定画面
４３・・・窓設定画面
４４・・・ルーフ設定画面
５０・・・第２入力部
６０・・・第３入力部
６１・・・入力用フィールド
６２・・・室ボタン
６３・・・仕切り部
【図１】
2008059397.tif 000003
【図２】
2008059397.tif 000004
【図３Ａ】
2008059397.tif 000005
【図３Ｂ】
2008059397.tif 000006
【図４】
2008059397.tif 000007
【図５】
2008059397.tif 000008
【図６】
2008059397.tif 000009
【図７】
2008059397.tif 000010
【図８】
2008059397.tif 000011
【図９】
2008059397.tif 000012
【図１０】
2008059397.tif 000013
【図１１】
2008059397.tif 000014